(57)【要約】      （修正有）【課題】既存の駐車場における車両の転落を低コストで防止できる転落防止構造を提供する。【解決手段】転落防止構造１０は、既存駐車場１に設けられる。既存駐車場１は、外周に沿って延びる既存パラペット２を有する。この転落防止構造１０は、既存駐車場１の床面３に載置された山留材と、この山留材から上方に延びる支柱１２と、この支柱１２に支持されて床面３から所定の高さ位置で略水平に延びる防護板１３と、を備え、山留材は、既存駐車場１の床面３上を駐車スペース側に向かって面状に延出する内側延出部２４を備える。【選択図】図１
2014025242.tif 000002
【特許請求の範囲】
【請求項１】
既存の駐車場に設けられる転落防止構造であって、
前記既存の駐車場は、外周に沿って延びる既存の防護部を有し、
前記既存の駐車場の床面に載置された基部と、
当該基部から上方に延びて少なくとも前記床面から所定の高さ位置で略水平に延びる防護部と、を備え、
前記基部は、前記既存の駐車場の床面上を駐車スペース側に向かって面状に延出する内側延出部を備えることを特徴とする転落防止構造。
【請求項２】
前記基部は、前記既存の駐車場の床面上を既存の防護部側に向かって面状に延出する外側延出部を備え、
当該外側延出部には、前記防護部を支持する控え柱が設けられることを特徴とする請求項１に記載の転落防止構造。
【発明の詳細な説明】
【技術分野】
【０００１】
本発明は、転落防止構造に関する。詳しくは、既存の駐車場に設けられる転落防止構造に関する。
【背景技術】
【０００２】
従来より、自走式立体駐車場には、車両の転落を防止するための防護壁が取り付けられる（特許文献１〜３参照）。
この防護壁は、外周に沿って設けられて外周大梁等の躯体に固定されており、駐車場床面からある程度の高さを有している。この防護壁によれば、立体駐車場内において車両が暴走して防護壁に衝突しても、車両がこの防護壁を突き破って落下するのを防止している。
【先行技術文献】
【特許文献】
【０００３】
【特許文献１】特開平７−１５８３０５号公報
【特許文献２】特開平８−１７７２５８号公報
【特許文献３】特開平１１−２４７４８１号公報
【発明の概要】
【発明が解決しようとする課題】
【０００４】
ところで、上述のような防護壁について、平成１５年２月に国土交通省より設計指針が出されている（「駐車場における自動車転落事故を防止するための装置等に関する設計指針」、国土交通省、平成１５年２月）。この設計指針では、防護壁を所定の衝撃力に耐えうる構造とすることが要請されている。
【０００５】
しかしながら、既存の自走式立体駐車場の防護壁は、強度が不十分で上述の技術的提言で示された基準を満たしていない場合がある。つまり、車両が防護壁に衝突すると、この防護壁の床面から所定高さの位置に水平方向に衝撃力が作用する。この衝撃力により、防護壁の下端には大きな曲げモーメントが生じて、防護壁が外側に屈曲し、車両が外に飛び出してしまう可能性があった。
【０００６】
そこで、既存の自走式立体駐車場に対して、新たに防護壁を設けることが考えられる。この場合、既存の防護壁を解体して撤去し、さらに床を解体して外周梁を露出させ、この外周梁上に、所定の衝撃に耐えうる構造の防護壁を新たに設けて、その後、防水工事を行うことになる。そのため、工事が大がかりになり、コストがかかる、という問題があった。
【０００７】
本発明は、既存の駐車場における車両の転落を低コストで防止できる転落防止構造を提供することを目的とする。
【課題を解決するための手段】
【０００８】
請求項１に記載の転落防止構造（例えば、後述の転落防止構造１０）は、既存の駐車場（例えば、後述の既存駐車場１）に設けられる転落防止構造であって、前記既存の駐車場は、外周に沿って延びる既存の防護部（例えば、後述の既存パラペット２）を有し、前記既存の駐車場の床面（例えば、後述の床面３）に載置された基部（例えば、後述の山留材１１、鋼板１１Ａ）と、当該基部から上方に延びて少なくとも前記床面から所定の高さ位置で略水平に延びる防護部（例えば、後述の支柱１２、防護板１３）と、を備え、前記基部は、前記既存の駐車場の床面上を駐車スペース側に向かって面状に延出する内側延出部（例えば、後述の内側延出部２４、３１）を備えることを特徴とする。
【０００９】
ここで、内側延出部の延出長さは、車両の前端が防護部に衝突した場合に、少なくとも前輪が内側延出部の上に載る程度、あるいは、車両の後端が防護部に衝突した場合に、少なくとも後輪が内側延出部の上に載る程度とする。
【００１０】
この発明によれば、既存の駐車場の床面上を駐車スペース側に向かって面状に延出する内側延出部を基部に設けた。
よって、車両が防護部に衝突すると、防護部が変形してエネルギーを吸収するとともに、この衝撃力が基部に分散され、基部が床面上を既存の防護部に向かって移動しようとする。しかしこのとき、この防護部に衝突した車両が内側延出部の上に載っているので、この車両の重量により内側延出部が床面に押し付けられて、この内側延出部と床面との摩擦抵抗により衝撃力が緩和されて基部の移動が低減される。よって、既存の防護部に車両が衝突するのを防止できる。また、車両の重量で内側延出部を押さえつけることで、基部および防護部の転倒を防止できる。
【００１１】
また仮に、基部が床面上を移動して既存の防護部に衝突した場合でも、内側延出部と床面との摩擦力で衝撃をある程度緩和しているので、既存の防護部に加わるせん断力を低減できる。
【００１２】
したがって、従来のように既存の防護部を解体して所定の衝撃に耐えうる構造の防護壁を新たに設ける必要がないので、既存の駐車場における車両の転落を低コストで防止できる。
また、既存の駐車場の床面に対して何ら工事を行わないため、防水性能を損なうことがないうえに、既存の駐車場を解体する場合には容易に取り外して転用できる。
【００１３】
また、内側延出部の上面を円滑な表面とした場合には、前輪駆動の車両が内側延出部上に加速しながら進入しても、この車両の前輪がスリップするので、防護部に加わる衝撃が大きくなるのを防止できる。
【００１４】
請求項２に記載の転落防止構造（例えば、後述の転落防止構造１０Ａ）は、前記基部は、前記既存の駐車場の床面上を既存の防護部側に向かって面状に延出する外側延出部（例えば、後述の外側延出部３２）を備え、当該外側延出部には、前記防護部を支持する控え柱（例えば、後述の控え柱４０）が設けられることを特徴とする。
【００１５】
この発明によれば、車両が防護部に衝突した場合、この衝撃力により防護部の下端に曲げモーメントが作用して、防護部が屈曲し、車両が防護部を突き抜けてしまうおそれがある。しかしながら、この発明によれば、控え柱を設けたので、この衝撃力が控え柱に圧縮方向の力として作用するから、防護部が折れ曲がるのを防止して、車両が防護部を突き抜けるのを防止できる。
【発明の効果】
【００１６】
本発明によれば、車両が防護部に衝突すると、防護部が変形してエネルギーを吸収するとともに、この衝撃力が基部に分散され、基部が床面上を既存の防護部に向かって移動しようとする。しかしこのとき、この防護部に衝突した車両が内側延出部の上に載っているので、この車両の重量により内側延出部が床面に押し付けられて、この内側延出部と床面との摩擦抵抗により衝撃力が緩和されて基部の移動が低減される。よって、既存の防護部に車両が衝突するのを防止できる。また、車両の重量で内側延出部を押さえつけることで、基部および防護部の転倒を防止できる。また仮に、基部が床面上を移動して既存の防護部に衝突した場合でも、内側延出部と床面との摩擦力で衝撃をある程度緩和しているので、既存の防護部に加わるせん断力を低減できる。したがって、従来のように既存の防護部を解体して所定の衝撃に耐えうる構造の防護壁を新たに設ける必要がないので、既存の駐車場における車両の転落を低コストで防止できる。また、既存の駐車場の床面に対して何ら工事を行わないため、防水性能を損なうことがないうえに、既存の駐車場を解体する場合には容易に取り外して転用できる。
【図面の簡単な説明】
【００１７】
【図１】本発明の第１実施形態に係る転落防止構造の斜視図である。
【図２】前記実施形態に係る転落防止構造の断面図である。
【図３】本発明の第２実施形態に係る転落防止構造の断面図である。
【発明を実施するための形態】
【００１８】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る転落防止構造１０の斜視図である。図２は、転落防止構造１０の断面図である。
【００１９】
転落防止構造１０は、既存の駐車場である既存駐車場１に設けられる。すなわち、この既存駐車場１は、立体駐車場であり、２階以上のフロアには、外周に沿って延びる既存の防護部としてのあご付きの既存パラペット２が設けられている。
転落防止構造１０は、既存パラペット２の内側つまり駐車スペース側の床面３に設けられている。
【００２０】
この転落防止構造１０は、既存駐車場１の床面３に載置された所定長さの基部としての山留材１１と、と、この山留材１１に長さ方向に沿って所定間隔おきに設けられた防護部としての支柱１２と、これら支柱１２に支持された防護部としての防護板１３と、山留材１１に固定されて既存駐車場１の床面３上を駐車スペース側に向かって延びる面状の内側延出部２４と、を備える。
【００２１】
山留材１１は、第１実施形態よりも既存パラペット２から離れて配置される。この山留材１１は、例えばＨ−３００×３００、長さ５ｍ程度、重量５００ｋｇ程度であり、Ｈ鋼２０と、このＨ鋼２０の両端を塞ぐ端部プレート２１と、Ｈ鋼２０の両フランジおよびウエブに溶接固定された補強プレート２２と、を備える。Ｈ鋼２０の両フランジおよび端部プレート２１には、ボルトを挿通するための多数の貫通孔２３が形成されている。
【００２２】
支柱１２は、Ｈ鋼２０のウエブの上面に固定されて上方に延びており、補強プレート２２は、この支柱１２の直下に取り付けられる。
【００２３】
防護板１３は、山留材１１とほぼ同じ長さのガードレールであり、支柱１２の上端側に固定されている。これにより、防護板１３は、床面３から所定の高さ位置で略水平に延びている。
内側延出部２４は、鋼板であり、この内側延出部２４の一端は上方に折り曲げられて立ち上がっており、この立ち上がった部分で山留材１１の貫通孔２３にボルト２５で固定されている。
【００２４】
本実施形態によれば、以下のような効果がある。
（１）車両Ａが図２中白抜き矢印方向に走行して防護板１３に衝突すると、防護板１３や支柱１２が変形してエネルギーを吸収するとともに、この衝撃力が山留材１１に分散され、山留材１１が床面３上を既存パラペット２に向かって移動しようとする。しかしこのとき、この防護板１３に衝突した車両Ａが内側延出部２４の上に載っているので、この車両Ａの重量により内側延出部２４が床面３に押し付けられて、この内側延出部２４と床面３との摩擦抵抗により衝撃力が緩和されて山留材１１の移動が防止される。よって、既存パラペット２に車両Ａが衝突するのを防止できる。また、車両Ａの重量で内側延出部２４を押さえつけることで、山留材１１、支柱１２、および防護板１３の転倒を防止できる。
また仮に、山留材１１が床面３上を図２中黒矢印方向に移動して既存パラペット２に衝突した場合でも、内側延出部２４と床面３との摩擦力で衝撃をある程度緩和しているので、既存パラペット２に加わるせん断力を低減できる。
【００２５】
したがって、従来のように既存パラペット２を解体して所定の衝撃に耐えうる構造の防護壁を新たに設ける必要がないので、既存駐車場１における車両Ａの転落を低コストで防止できる。
また、既存駐車場１の床面３に対して何ら工事を行わないため、防水性能を損なうことがないうえに、既存駐車場１を解体する場合には容易に取り外して転用できる。
【００２６】
また、内側延出部２４の上面を円滑な表面とした場合には、前輪駆動の車両が内側延出部２４上に加速しながら進入しても、この車両の前輪がスリップするので、防護板１３や支柱１２に加わる衝撃が大きくなるのを防止できる。
【００２７】
また、山留材１１、支柱１２、および防護板１３が一体となった仮設ガードレールが市販されているので、この仮設ガードレールを利用することで、転落防止構造１０を容易に構築できる。
【００２８】
また、補強プレート２２を設けたので、支柱１２に加わる衝撃力によりＨ鋼２０のフランジやウエブが捻れるのを防止できる。
【００２９】
〔第２実施形態〕
図３は、本発明の第２実施形態に係る転落防止構造１０Ａの斜視図である。
本実施形態では、山留材１１の代わりに基部としての鋼板１１Ａが設けられている点が、第１実施形態と異なる。
すなわち、鋼板１１Ａは、既存駐車場１の床面３上に設けられた面状であり、支柱１２が取り付けられる支持部３０と、この支持部３０から駐車スペース側に向かって延びる内側延出部３１と、支持部３０から既存パラペット２側に向かって延びる外側延出部３２と、を備える。
支持部３０の上面には、ボルトが溶接固定されており、支柱１２は、このボルトを介して支持部３０に取り付けられている。
【００３０】
また、外側延出部３２の既存パラペット２側の部分は、上方に折り曲げられている。この外側延出部３２には、支柱１２を支持する控え柱４０が設けられる。すなわち、この控え柱４０は、外側延出部３２の折り曲げ箇所から斜めに延びて支柱１２の上部に連結される。
【００３１】
本実施形態によれば、上述の（１）と同様の効果に加えて、以下のような効果がある。
（２）車両Ａが図３中白抜き矢印方向に走行して防護板１３に衝突した場合、この衝撃力により支柱１２が下端で屈曲してしまい、車両Ａが防護板１３を突き抜けてしまうおそれがある。しかしながら、この発明によれば、控え柱４０を設けたので、この衝撃力が控え柱４０に圧縮方向の力として作用するから、支柱１２が屈曲するのを防止して、車両Ａが防護板１３を突き抜けるのを防止できる。
【００３２】
なお、本発明は前記実施形態に限定されるものではなく、本発明の目的を達成できる範囲での変形、改良等は本発明に含まれるものである。
例えば、車両が衝突した際の内側延出部２４や鋼板１１Ａの抵抗を増大させるため、必要に応じて、内側延出部２４や鋼板１１Ａを床面３に接着してもよい。
【符号の説明】
【００３３】
Ａ…車両
１…既存駐車場（既存の駐車場）
２…既存パラペット（既存の防護部）
３…床面
１０、１０Ａ…転落防止構造
１１…山留材（基部）
１１Ａ…鋼板（基部）
１２…支柱（防護部）
１３…防護板（防護部）
２０…Ｈ鋼
２１…端部プレート
２２…補強プレート
２３…貫通孔
２４…内側延出部
２５…ボルト
３０…支持部
３１…内側延出部
３２…外側延出部
４０…控え柱
【図１】
2014025242.tif 000003
【図２】
2014025242.tif 000004
【図３】
2014025242.tif 000005